(57)【要約】  ハウジングの構造が複雑になるのを回避する。  コネクタ（Ａ）は、端子収容室（１１）が形成されたハウジング（１０）と、端子収容室（１１）に挿入される端子金具（２０）と、端子収容室（１１）内の端子金具（２０）に対し抜止め状態に係止可能なランス（１４）と、フロントリテーナ（３０）と、ランス（１４）を金型成形するための型抜き空間（１９）と、フロントリテーナ（３０）に形成され、前方からプローブ（Ｐ）を挿入することを許容し、型抜き空間（１９）を介して端子収容室（１１）に連通する検知孔（３５）とを備えている。
2013061643.tif 000002
【特許請求の範囲】
【請求項１】
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ハウジングに形成され、前記ハウジングの前面に開放されるとともに前記端子収容室に連通した形態であって、前記ランスを金型成形するための型抜き空間と、
前記フロントリテーナに形成され、前記フロントリテーナの前方から導通検査用のプローブが挿入することを許容し、前記型抜き空間を介して前記端子収容室に連通する検知孔とを備えていることを特徴とするコネクタ。
【請求項２】
前記端子金具に形成され、前記ランスにおける前記端子金具との係止部よりも前方に配されて、前記型抜き空間内に挿入された前記プローブの先端を当接させる規制突起を備えていることを特徴とする請求項１記載のコネクタ。
【請求項３】
前記規制突起は、前記ランスに係止することで、前記端子金具を抜止めするようになっていることを特徴とする請求項２記載のコネクタ。
【請求項４】
前記フロントリテーナに形成され、前記プローブの挿入方向前方に向かって前記端子金具の外面との対向間隔が狭まるように傾斜した誘導部と、
前記誘導部を構成し、前記端子金具の外面と平行であり且つ前記プローブの挿入方向と直角な幅方向の間隔が、前記プローブの挿入方向前方に向かって狭まる一対の誘導面とを備えていることを特徴とする請求項１記載のコネクタ。
【請求項５】
前記端子金具に形成され、前記ランスに係止することで前記端子金具を抜止めする規制突起と、
前記フロントリテーナに形成され、前記プローブの挿入過程では、前記プローブが前記規制突起に当接する前に、前記プローブを前止まりするように傾斜した誘導部とを備えていることを特徴とする請求項１記載のコネクタ。
【発明の詳細な説明】
【技術分野】
【０００１】
本発明は、コネクタに関するものである。
【背景技術】
【０００２】
特許文献１には、ハウジングの端子収容室に端子金具を収容し、ハウジングに対しその前面を覆うように組み付けたフロントリテーナにより、端子金具を抜止め状態に保持するコネクタが開示されている。このコネクタでは、導通検査を行うために、フロントリテーナに検知孔を形成するとともに、ハウジングに検知孔と端子収容室を連通させる連通孔を形成している。フロントリテーナの前方から導通検査用のプローブを検知孔に挿入すると、プローブが、連通孔を通過して端子収容室内の端子金具に接触するようになっている。
【先行技術文献】
【特許文献】
【０００３】
【特許文献１】特開２００１−１１０５２６号公報
【発明の概要】
【発明が解決しようとする課題】
【０００４】
特許文献１に記載されたコネクタでは、フロントリテーナの検知孔と端子収容室とを連通させるために、ハウジングに専用の連通孔を形成している。そのため、ハウジングの構造が複雑になる。
本発明は上記のような事情に基づいて完成されたものであって、ハウジングの構造が複雑になるのを回避することを目的とする。
【課題を解決するための手段】
【０００５】
上記の目的を達成するための手段として、
本発明は、
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ハウジングに形成され、前記ハウジングの前面に開放されるとともに前記端子収容室に連通した形態であって、前記ランスを金型成形するための型抜き空間と、
前記フロントリテーナに形成され、前記フロントリテーナの前方から導通検査用のプローブが挿入することを許容し、前記型抜き空間を介して前記端子収容室に連通する検知孔とを備えているところに特徴を有する。
【発明の効果】
【０００６】
このコネクタは、フロントリテーナの検知孔と端子収容室とを連通させる手段として、ランスを金型成形するために形成されている既存の型抜き空間を利用しているので、ハウジングには、プローブ専用の連通孔を新たに形成する必要がない。したがって、ハウジングの形状が複雑になるのを回避できる。
【図面の簡単な説明】
【０００７】
【図１】実施例１のコネクタにおいてプローブを挿入した状態をあらわす斜視図
【図２】コネクタの正面図
【図３】ハウジングからフロントリテーナを外した状態をあらわす断面図
【図４】ハウジングに端子金具を挿入し、フロントリテーナを取り付けた状態をあらわす断面図
【図５】コネクタにプローブを挿入した状態をあらわす断面図
【図６】ハウジングの正面図
【図７】フロントリテーナの背面図
【図８】端子金具の正面図
【図９】実施例２のコネクタの正面図
【図１０】図９の部分拡大図
【図１１】ハウジングに端子金具を挿入し、フロントリテーナを取り付けた状態をあらわす断面図
【図１２】コネクタにプローブを挿入した状態をあらわす断面図
【図１３】実施例３のコネクタの正面図
【図１４】図１３の部分拡大図
【図１５】ハウジングにフロントリテーナを取り付けた状態をあらわす断面図
【図１６】コネクタにプローブを挿入した状態をあらわす断面図
【図１７】フロントリテーナの背面図
【発明を実施するための形態】
【０００８】
本発明のコネクタは、
前記端子金具に形成され、前記ランスにおける前記端子金具との係止部よりも前方に配されて、前記型抜き空間内に挿入された前記プローブの先端を当接させる規制突起を備えていてもよい。
このコネクタは、検知孔と型抜き空間に挿入されたプローブが、ランスにおける端子金具との係止部に到達する前に規制突起に当接することにより、挿入が規制される。したがって、ランスの係止部とプローブとの干渉を回避することができる。
【０００９】
本発明のコネクタは、
前記規制突起が、前記ランスに係止することで、前記端子金具を抜止めするようになっていてもよい。
このコネクタは、規制突起がランスの係止対象となっているので、規制突起とは別にランスの係止対象を形成する場合に比べると、端子金具の形状が簡素化される。
【００１０】
本発明のコネクタは、
前記フロントリテーナに形成され、前記プローブの挿入方向前方に向かって前記端子金具の外面との対向間隔が狭まるように傾斜した誘導部と、
前記誘導部を構成し、前記端子金具の外面と平行であり且つ前記プローブの挿入方向と直角な幅方向の間隔が、前記プローブの挿入方向前方に向かって狭まる一対の誘導面とを備えていてもよい。
この構成によれば、プローブが幅方向に位置ずれするのを防止できる。
【００１１】
本発明のコネクタは、
前記端子金具に形成され、前記ランスに係止することで前記端子金具を抜止めする規制突起と、
前記フロントリテーナに形成され、前記プローブの挿入過程では、前記プローブが前記規制突起に当接する前に、前記プローブを前止まりするように傾斜した誘導部とを備えていてもよい。
この構成によれば、プローブの先端部が、規制突起に接触しないので、ランスとの係止手段である規制突起が、プローブによって傷付けられる虞がない。
【００１２】
＜実施例１＞
以下、本発明を具体化した実施例１を図１〜図８を参照して説明する。本実施例１のコネクタＡは、ハウジング１０と、複数の端子金具２０と、フロントリテーナ３０とを備えて構成されている。コネクタＡは、プローブＰを端子金具２０に接触させたときに、端子金具２０を含む回路が導通状態になるか否かに基づいて、導通検査が行われるようになっている。
【００１３】
ハウジング１０は、合成樹脂製であり、前後方向に型開きされる周知の形態の金型（図示省略）によって成形されている。図２〜５に示すように、ハウジング１０の内部には、ハウジング１０を前後方向に貫通する形態の複数の端子収容室１１が、幅方向（左右方向）に一列に並んで形成されている。ハウジング１０には、端子収容室１１を構成する前面壁１２が、各端子収容室１１毎に個別に前方へ突出した形態で形成されている。各前面壁１２には、夫々、前方から相手側端子（図示省略）のタブを挿入させるためのタブ挿入孔１３が貫通して形成されている。
【００１４】
図３〜５に示すように、各端子収容室１１内には後方（図３〜５における右方）から端子金具２０が挿入される。端子収容室１１を構成する上壁部には、各端子収容室１１に個別に臨む形態のランス１４が形成されている。ランス１４は、前方（端子収容室１１に対する端子金具２０の挿入方向と同じ方向）へ片持ち状に延出した形態の本体部１５と、本体部１５の下面（端子収容室１１に臨む面）から突出する係止突起１６（本発明の構成要件であるランスにおける端子金具２０との係止部）とを一体に形成したものである。係止突起１６の前端は、本体部１５の前端よりも少し後方に位置している。本体部１５の前端部（係止突起１６よりも前方の部分）は、ランス１４を端子金具２０から解離させるための治具（図示省略）を係止させる治具係止部１７として機能する。幅方向におけるランス１４の形成領域は、端子収容室１１の全幅と概ね同じ範囲である。
【００１５】
ランス１４は、常には、図３〜５に示す係止位置にあるが、本体部１５の後端部を支点として上方（端子収容室１１に対する端子金具２０の挿入方向と交差する方向であって、端子収容室１１から退避する方向）へ弾性撓みし得るようになっている。ランス１４が係止位置にある状態では、上下方向（ランス１４の弾性撓みと略平行な方向）において、係止突起１６の下端と端子収容室１１の上端とが同じ高さに位置する。また、ハウジング１０の前端部には、ランス１４の上方への弾性撓みを許容するための撓み空間１８が、ハウジング１０の前面に開口する形態で形成されている。図６に示すように、撓み空間１８は、各ランス１４毎に個別に形成されているのではなく、全ての端子収容室１１と対応するように幅方向に連続した形態である。
【００１６】
図３〜５に示すように、ハウジング１０の前端部には、ランス１４を成形する際に前方へ型開きされる金型（図示省略）によって形成された型抜き空間１９が、ハウジング１０の前面に開口するように形成されている。型抜き空間１９は導通検査手段として機能する。型抜き空間１９と撓み空間１８は前後に並ぶように配され、撓み空間１８の前端部が、型抜き空間１９の後端部に連通している。同様に、型抜き空間１９とランス１４も前後に並ぶように配され、ランス１４の前端部が型抜き空間１９の後端部に臨んでいる。
【００１７】
型抜き空間１９の上下方向における形成領域は、撓み空間１８の上端からランス１４の係止突起１６の下端（つまり、端子収容室１１の上端）に亘る範囲である。したがって、型抜き空間１９のうち前端部（前後方向において端子収容室１１の前面壁１２と対応する端部）を除いた後端側の領域は、その下面において端子収容室１１の前端部の上面と連通している。型抜き空間１９は、各ランス１４毎に個別に形成されているのではなく、全ての端子収容室１１と対応するように幅方向に連続した形態である。
【００１８】
図３〜５に示すように、端子金具２０は、前後方向に細長く、前端部に角筒部２１が形成された雌形の端子である。角筒部２１内には、前方から相手側端子のタブ（図示省略）が挿入されるようになっている。図８に示すように、角筒部２１内には、挿入されたタブに対して弾性的に接触する弾性接触片２２が設けられている。図３〜５に示すように、端子金具２０の後端部には電線圧着部２３が形成され、電線圧着部２３には電線２４が圧着により接続されている。
【００１９】
図３〜５，８に示すように、角筒部２１の上面（端子金具２０の外面のうち型抜き空間１９に臨む面）には、規制突起２５が形成されている。規制突起２５の前面は、端子収容室１１への端子金具２０の挿入方向に対して斜めをなす傾斜面２６となっている。規制突起２５の後面は、端子金具２０の挿入方向と略直角な係止面２７となっている。この規制突起２５は、端子金具２０をランス１４によって抜止めするための抜止め機能と、後述する導通検査用のプローブＰとランス１４との干渉を回避するための干渉回避機能とを兼ね備えるものである。
【００２０】
図３〜５に示すように、端子金具２０は、ハウジング１０の後方から端子収容室１１内に挿入される。挿入の過程では、ランス１４の係止突起１６が規制突起２５と干渉し、傾斜面２６の傾斜により、ランス１４が上方へ弾性撓みさせられて撓み空間１８内に収容される。端子金具２０が正規の挿入位置に到達すると、規制突起２５が係止突起１６を通過するので、ランス１４が下方へ弾性復帰し、係止突起１６が規制突起２５の係止面２７に対して後方から係止する。この係止作用により、端子金具２０は抜止め状態に保持される。端子金具２０が正規位置に挿入された状態では、上下方向において、角筒部２１の上面が型抜き空間１９の下面とほぼ同じ高さに位置するとともに、規制突起２５が型抜き空間１９内に進出する。
【００２１】
フロントリテーナ３０は、合成樹脂製であり、図３〜５に示すように、ハウジング１０に対し、その前方から組み付けられる。フロントリテーナ３０は、壁状部３１と、壁状部３１の外周縁から後方へ延出する筒状嵌合部３２と、壁状部３１から後方へ延出する規制部３３とを一体に形成したものである。壁状部３１は、ハウジング１０の前面のうち、全ての端子収容室１１の形成領域を含む範囲を覆うように組み付けられる。
【００２２】
図２〜５，７に示すように、壁状部３１には、各端子収容室１１と対応する複数の挿通口３４が貫通して形成されている。フロントリテーナ３０をハウジング１０に組み付けた状態では、各挿通口３４が、対応する前面壁１２に嵌合されている。タブは、挿通口３４において露出するタブ挿入孔１３を通過して端子収容室１１内の角筒部２１に挿入されるようになっている。規制部３３は、板状をなし、フロントリテーナ３０をハウジング１０に組み付けた状態で、撓み空間１８内に嵌入されるようになっている。図３〜５に示すように、規制部３３が撓み空間１８に嵌入されると、ランス１４は、撓み空間１８側（上方）へ弾性撓みすることを規制され、係止突起１６が端子金具２０の規制突起２５に対して後方から係止する状態に保持される。つまり、規制部３３により、ランス１４による端子金具２０の抜止め機能の信頼性が高められる。
【００２３】
図３〜５に示すように、フロントリテーナ３０には、壁状部３１を前後に貫通させた形態の複数の検知孔３５と、規制部３３の前端側領域を切り欠いた形態であって検知孔３５と個別に連通する複数の切欠部３６とが、互いに前後に並ぶように配置されて形成されている。複数の検知孔３５は、隔壁部３７を挟んで各挿通口３４の上方に位置するように配置されている。図２，７に示すように、検知孔３５の開口形状は方形である。切欠部３６は、規制部３３の上面と下面とを連通するように切欠されている。図３〜５に示すように、上下方向における検知孔３５の開口領域と切欠部３６の形成領域は、型抜き空間１９の形成範囲と概ね同じ範囲である。つまり、検知孔３５及び切欠部３６の上端と規制部３３の上端（上面）とは、上下方向において同じ高さに位置している。
【００２４】
また、図７に示すように、幅方向において、検知孔３５の開口寸法と切欠部３６の幅寸法は同じ寸法であり、検知孔３５の形成領域と切欠部３６の形成領域も同じ範囲である。検知孔３５と切欠部３６の幅寸法は、端子収容室１１及びランス１４の幅寸法よりも小さい。検知孔３５と切欠部３６は、対応する端子収容室１１及びランス１４の幅方向における中央位置に配置されている。図３〜５に示すように、切欠部３６の奥端部（後端部）には、その上面（フロントリテーナ３０をハウジング１０に組み付けた状態において、端子収容室１１と対向する天井面）を後方に向かって低くなるように傾斜させた誘導部３８が形成されている。誘導部３８は、単一の平面状をなしている。誘導面３８の傾斜は、プローブＰの挿入方向前方に向かって端子金具２０の外面（角筒部２１の上面）との対向間隔が狭まるような形態である。
【００２５】
次に、本実施例１の作用を説明する。コネクタＡの組付けは、まず、フロントリテーナ３０をハウジング１０から外した状態で、端子収容室１１内に端子金具２０を挿入し、ランス１４の係止突起１６を端子金具２０の規制突起２５に係止させることにより、端子金具２０を抜止めする。この後、フロントリテーナ３０をハウジング１０に組み付けて、規制部３３を撓み空間１８に嵌入することにより、ランス１４が端子金具２０から解離する方向へ弾性撓みするのを規制して、端子金具２０を確実に抜止めする。このとき、規制部３３のうち切欠部３６の左右両側の部分が、ランス１４の本体部１５に対して上から係止又は接近して対向する。以上のようにしてコネクタＡが組み付けられる。
【００２６】
コネクタＡが組み付けられた状態（フロントリテーナ３０をハウジング１０に組み付けた状態）では、フロントリテーナ３０の検知孔３５が、型抜き空間１９の前端部に連通するとともに、切欠部３６が型抜き空間１９内に配置される。また、前後方向において、誘導部３８の後端がランス１４の本体部１５の前端よりも少し前方に位置する。そして、上下方向においては、誘導部３８の全体が、型抜き空間１９を介して端子収容室１１と対向するとともに、誘導部３８の全体が、端子金具２０の規制突起２５の傾斜面２６と対向する。
【００２７】
この状態で、導通検査が行われ、コネクタＡには前方からプローブＰが挿入される。プローブＰの挿入方向は、端子収容室１１に対する端子金具２０の挿入方向と略平行であり、プローブＰの挿入方向と端子金具２０の挿入方向とは、前後方向において互いに逆向きの関係となっている。プローブＰの先端部（挿入方向前端部）は、検知孔３５を通過して型抜き空間１９内（即ち、切欠部３６内）に進入し、誘導部３８に当接する。誘導部３８に当接したプローブＰは、誘導部３８の傾斜により下方（即ち、端子収容室１１側）へ変位するようにガイドされるので、確実に、端子収容室１１内の端子金具２０の角筒部２１の上面に当接する。
【００２８】
このように、プローブＰの先端部は、誘導部３８に対して下から当接するとともに、角筒部２１の上面に対して上から当接し、コネクタＡに対して上下２箇所に当接している。誘導部３８と角筒部２１との間で上下に挟まれたプローブＰの先端部は、上下方向において位置決め（移動規制）される。
【００２９】
また、前後方向において、端子収容室１１内での端子金具２０の組付け誤差や、ハウジング１０に対するフロントリテーナ３０の組付け誤差が生じて、誘導部３８によるガイドが不十分であったとしても、誘導部３８と対向する位置には、端子金具２０の規制突起２５が位置しているので、プローブＰの先端部が傾斜面２６に当接する。
【００３０】
上述のように、本実施例１のコネクタＡは、ハウジング１０に形成した端子収容室１１に端子金具２０を収容し、端子収容室１１の内壁面に沿って前方へ片持ち状に延出するように形成されたランス１４により、端子金具２０を抜止め状態にし、ハウジング１０に対しその前面を覆うように組み付けられるフロントリテーナ３０により、ランス１４を端子金具２０への係止状態に保持するようになっている。さらに、コネクタＡは、ハウジング１０に形成され、ハウジング１０の前面に開放されるとともに端子収容室１１に連通した形態であって、ランス１４を金型成形するための型抜き空間１９と、フロントリテーナ３０に形成され、フロントリテーナ３０の前方から導通検査用のプローブＰが挿入することを許容し、型抜き空間１９を介して端子収容室１１に連通する検知孔３５と、フロントリテーナ３０に形成され、検知孔３５及び型抜き空間１９内に挿入されたプローブＰを、端子収容室１１内の端子金具２０の外面に当接する位置へ誘導する誘導部３８とを備えている。
【００３１】
このように、本実施例１のコネクタＡは、フロントリテーナ３０の検知孔３５と端子収容室１１とを連通させる手段として、ランス１４を金型成形するために形成されている既存の型抜き空間１９を利用しているので、ハウジング１０には、プローブＰ専用の連通孔を新たに形成する必要がない。したがって、ハウジング１０の形状が複雑になるのを回避できる。
【００３２】
また、本実施例１のコネクタＡは、端子金具２０に形成され、ランス１４における端子金具２０との係止部（係止突起１６）よりも前方に配されて、型抜き空間１９内に挿入されたプローブＰの先端を当接させる規制突起２５を備えている。この構成によれば、検知孔３５と型抜き空間１９に挿入されたプローブＰは、ランス１４の係止突起１６に到達する前に規制突起２５に当接することにより、挿入が規制されるので、係止突起１６とプローブＰとの干渉を回避することができる。また、規制突起２５は、ランス１４に係止することで、端子金具２０を抜止めするようになっている。つまり、規制突起２５がランス１４に係止対象となっている。したがって、規制突起２５とは別にランス１４の係止対象を形成する場合に比べると、端子金具２０の形状が簡素化される。
【００３３】
＜実施例２＞
次に、本発明を具体化した実施例２を図９〜図１２を参照して説明する。本実施例２のコネクタＢは、フロントリテーナ４０に形成されている誘導部４１を上記実施例１とは異なる形態としたものである。その他の構成については上記実施例１と同じであるため、同じ構成については、同一符号を付し、構造、作用及び効果の説明は省略する。
【００３４】
上記実施例１の誘導部３８が単一の平面状をなしているのに対し、本実施例２の誘導部４１は、左右対称な一対の平面状をなす誘導面４２によって構成されている。一対の誘導面４２は、幅方向（角筒部２１の上面と平行であり、且つプローブＰの挿入方向と直角な方向）の間隔が、プローブＰの挿入方向前方、つまり型抜き空間１９の奥方（後方）に向かって次第に狭まるように傾斜している。また、一対の誘導面４２は、上下方向（プローブＰの挿入方向と略直交する方向であって、角筒部２１の上面に対して直交する方向）において、角筒部２１の上面との間隔がプローブＰの挿入方向前方に向かって次第に狭まるように傾斜している。
【００３５】
プローブＰを型抜き空間１９内に挿入すると、プローブＰの先端部（挿入方向前端部）が、一対の誘導面４２に当接する。誘導部４１に当接したプローブＰは、誘導面４２の傾斜により下方（即ち、端子収容室１１側）へ変位するようにガイドされるので、確実に、端子収容室１１内の端子金具２０の角筒部２１の上面（端子金具２０の外面のうち型抜き空間１９に臨む面）に当接する。
【００３６】
このように、プローブＰの先端部は、一対の誘導面４２に対して下から当接するとともに、角筒部２１の上面に対して上から当接し、誘導部４１と角筒部２１との間で上下に挟まれるので、上下方向において位置決め（移動規制）される。また、プローブＰの先端部は、左右対称な一対の誘導面４２に当接するので、左右方向（幅方向）において位置決め（移動規制）される。このように、本実施例２では、プローブＰの先端部が、一対の誘導面４２と角筒部２１の上面との３箇所においてコネクタＢと当接するようになっている。
【００３７】
＜実施例３＞
次に、本発明を具体化した実施例３を図１３〜図１７を参照して説明する。上記実施例１，２のコネクタＡ，Ｂでは、角筒部２１の上面に形成した規制突起２５にプローブＰを当接させていたのに対し、本実施例３のコネクタＣでは、プローブＰを、規制突起２５に接触させず、角筒部２１の上面（端子金具２０の外面のうち型抜き空間１９に臨む面）のうち規制突起２５の形成されていない領域に接触させるようになっている。角筒部２１の上面においてプローブＰが接触する領域は、規制突起２５よりも前方（コネクタＣに対するプローブＰの挿入方向においては、規制突起２５よりも後方）に配された接触領域２８となっている。この接触領域２８は、プローブＰと端子金具２０との当接方向に対して直角であり、プローブＰの挿入方向と平行をなす平坦面となっている。
【００３８】
また、上記実施例１，２のフロントリテーナ３０，４０では、規制部３３に形成した誘導部３８，４１が、前後方向において規制突起２５と対応する位置に配置されていた。これに対し、本実施例３のフロントリテーナ５０では、規制部３３の誘導部５１が、端子金具２０の規制突起２５よりも前方（前後方向において接触領域２８と対応する領域）に配置されている。
【００３９】
誘導部５１は、実施例１の誘導部３８と同様、後方に向かって下り勾配となるように（つまり、接触領域２８との上下間隔が後方に向かって次第に小さくなるように）傾斜した平坦面で構成されている。誘導部５１の勾配の向きは、接触領域２８と平行な投影面上においてプローブＰの挿入方向と平行をなしている。また、誘導部５１は、プローブＰの挿入過程で、プローブＰが規制突起２５に当接する前に、プローブＰを前止まりするように傾斜している。
【００４０】
また、実施例１，２のフロントリテーナ３０，４０では、規制部３３における誘導部３８，４１よりも前方の領域が、規制部３３を上下に貫通する形態の切欠部３６となっていた。これに対し、本実施例３では、規制部３３の下面のうち誘導部５１よりも前方の領域は、角筒部２１の上面と対向する抑え面５２となっている。この抑え面５２と角筒部２１の上面との間隔は、プローブＰの外径寸法よりも少し大きい寸法に設定されている。抑え面５２は、プローブＰが上方（接触領域２８から離間する方向）へ大きく変位することを規制する。
【００４１】
導通検査の際には、コネクタＣに対して前方からプローブＰが挿入される。プローブＰの先端部（挿入方向前端部）は、検知孔３５を通過して型抜き空間１９内（即ち、切欠部３６内）に進入し、誘導部５１に当接する。誘導部５１に当接したプローブＰは、誘導部５１の傾斜により下方（即ち、端子収容室１１側）へ変位するようにガイドされるので、確実に、端子収容室１１内の端子金具２０の角筒部２１の上面（接触領域２８）に当接する。プローブＰは略円柱形をなすので、接触領域２８とプローブＰとの接触形態は、線接触である。
【００４２】
プローブＰが接触領域２８に接触した状態では、プローブＰの先端部は、規制突起２５には到達しない。したがって、ランス１４との係止手段である規制突起２５が、プローブＰによって傷付けられたり変形したりすることはない。また、プローブＰの先端部が、誘導部５１に対して下から当接するとともに、接触領域２８に対して上から当接し、コネクタＣに対して上下２箇所に当接している。誘導部５１と接触領域２８との間で上下に挟まれたプローブＰの先端部は、上下方向において位置決め（移動規制）される。
【００４３】
また、接触領域２８は、プローブＰと端子金具２０との当接方向に対して直角な平坦面である。そして、誘導部５１の勾配の向きは、接触領域２８と平行な投影面上においてプローブＰの挿入方向と平行をなす。したがって、端子金具２０とプローブＰが左右方向（プローブＰの挿入方向及びプローブＰと端子金具２０との当接方向の両方向に対して直角な方向）に相対変位した場合でも、プローブＰと接触領域２８との接触状態が変化することはない。
尚、上記以外の構成については上記実施例１と同じであるため、同じ構成については、同一符号を付し、構造、作用及び効果の説明は省略する。
【００４４】
＜他の実施例＞
本発明は上記記述及び図面によって説明した実施例に限定されるものではなく、例えば次のような実施例も本発明の技術的範囲に含まれる。
【００４５】
（１）上記実施例１，２，３では、規制突起がランスに係止されるようにしたが、規制突起は、ランスと係止しない形態であってもよい。
【００４６】
（２）上記実施例１，２，３では、端子金具に規制突起を形成してランスとプローブとの干渉を回避したが、端子金具に規制突起を形成しなくてもよい。
【符号の説明】
【００４７】
Ａ…コネクタ
Ｐ…プローブ
１０…ハウジング
１１…端子収容室
１４…ランス
１６…係止突起（ランスにおける端子金具との係止部）
１９…型抜き空間
２０…端子金具
２５…規制突起
３０…フロントリテーナ
３５…検知孔
３８…誘導部
Ｂ，Ｃ…コネクタ
４０，５０…フロントリテーナ
４１，５１…誘導部
４２…誘導面
【図１】
2013061643.tif 000003
【図２】
2013061643.tif 000004
【図３】
2013061643.tif 000005
【図４】
2013061643.tif 000006
【図５】
2013061643.tif 000007
【図６】
2013061643.tif 000008
【図７】
2013061643.tif 000009
【図８】
2013061643.tif 000010
【図９】
2013061643.tif 000011
【図１０】
2013061643.tif 000012
【図１１】
2013061643.tif 000013
【図１２】
2013061643.tif 000014
【図１３】
2013061643.tif 000015
【図１４】
2013061643.tif 000016
【図１５】
2013061643.tif 000017
【図１６】
2013061643.tif 000018
【図１７】
2013061643.tif 000019
【手続補正書】
【提出日】平成24年10月19日(2012.10.19)
【手続補正１】
【補正対象書類名】特許請求の範囲
【補正対象項目名】全文
【補正方法】変更
【補正の内容】
【特許請求の範囲】
【請求項１】
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ランスを金型成形する際に前記ハウジングに形成され、前記ハウジングの前面に開放されるとともに前記端子収容室に連通した形態であって、導通検知用のプローブを進入させる型抜き空間と、
前記フロントリテーナに形成され、前記型抜き空間と前後に並ぶように配され、前記フロントリテーナの前方から前記プローブが挿入することを許容し、前記型抜き空間を介して前記端子収容室に連通する検知孔とを備えていることを特徴とするコネクタ。
【請求項２】
前記端子金具に形成され、前記ランスにおける前記端子金具との係止部よりも前方に配されて、前記型抜き空間内に挿入された前記プローブの先端を当接させる規制突起を備えていることを特徴とする請求項１記載のコネクタ。
【請求項３】
前記規制突起は、前記ランスに係止することで、前記端子金具を抜止めするようになっていることを特徴とする請求項２記載のコネクタ。
【請求項４】
前記フロントリテーナに形成され、前記プローブの挿入方向前方に向かって前記端子金具の外面との対向間隔が狭まるように傾斜した誘導部と、
前記誘導部を構成し、前記端子金具の外面と平行であり且つ前記プローブの挿入方向と直角な幅方向の間隔が、前記プローブの挿入方向前方に向かって狭まる一対の誘導面とを備えていることを特徴とする請求項１記載のコネクタ。
【請求項５】
前記端子金具に形成され、前記ランスに係止することで前記端子金具を抜止めする規制突起と、
前記フロントリテーナに形成され、前記プローブの挿入過程では、前記プローブが前記規制突起に当接する前に、前記プローブを前止まりするように傾斜した誘導部とを備えていることを特徴とする請求項１記載のコネクタ。
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ランスを金型成形する際に前記ハウジングに形成され、前記ハウジングの前面に開放されるとともに前記端子収容室に連通した形態であって、導通検査用のプローブを進入させる型抜き空間と、
前記フロントリテーナに形成され、前記型抜き空間と前後に並ぶように配され、前記フロントリテーナの前方から前記プローブが挿入することを許容し、前記型抜き空間を介して前記端子収容室に連通する検知孔と、
前記端子金具に形成され、前記ランスにおける前記端子金具との係止部よりも前方に配されて、前記型抜き空間内に挿入された前記プローブの先端を当接させる規制突起を備え、
前記規制突起は、前記ランスに係止することで、前記端子金具を抜止めするようになっていることを特徴とするコネクタ。
【請求項２】
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ランスを金型成形する際に前記ハウジングに形成され、前記ハウジングの前面に開放されるとともに前記端子収容室に連通した形態であって、導通検査用のプローブを進入させる型抜き空間と、
前記フロントリテーナに形成され、前記型抜き空間と前後に並ぶように配され、前記フロントリテーナの前方から前記プローブが挿入することを許容し、前記型抜き空間を介して前記端子収容室に連通する検知孔と、
前記端子金具に形成され、前記ランスに係止することで前記端子金具を抜止めする規制突起と、
前記フロントリテーナに形成され、前記プローブの挿入過程では、前記プローブが前記規制突起に当接する前に、前記プローブを前止まりするように傾斜した誘導部とを備えていることを特徴とするコネクタ。
【請求項３】
前記フロントリテーナに形成され、前記プローブの挿入方向前方に向かって前記端子金具の外面との対向間隔が狭まるように傾斜した誘導部と、
前記誘導部を構成し、前記端子金具の外面と平行であり且つ前記プローブの挿入方向と直角な幅方向の間隔が、前記プローブの挿入方向前方に向かって狭まる一対の誘導面とを備えていることを特徴とする請求項１又は請求項２記載のコネクタ。
【手続補正２】
【補正対象書類名】明細書
【補正対象項目名】０００５
【補正方法】変更
【補正の内容】
【０００５】
上記の目的を達成するための手段として、
第１の発明は、
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ランスを金型成形する際に前記ハウジングに形成され、前記ハウジングの前面に開放されるとともに前記端子収容室に連通した形態であって、導通検査用のプローブを進入させる型抜き空間と、
前記フロントリテーナに形成され、前記型抜き空間と前後に並ぶように配され、前記フロントリテーナの前方から前記プローブが挿入することを許容し、前記型抜き空間を介して前記端子収容室に連通する検知孔と、
前記端子金具に形成され、前記ランスにおける前記端子金具との係止部よりも前方に配されて、前記型抜き空間内に挿入された前記プローブの先端を当接させる規制突起を備え、
前記規制突起は、前記ランスに係止することで、前記端子金具を抜止めするようになっているところに特徴を有する。
また、第２の発明は、
端子収容室が形成されたハウジングと、
前記端子収容室に収容される端子金具と、
前記端子収容室の内壁面に沿って前方へ片持ち状に延出するように形成され、前記端子金具に対し抜止め状態に係止可能なランスと、
前記ハウジングに対しその前面を覆うように組み付けられることで、前記ランスを前記端子金具への係止状態に保持するフロントリテーナと、
前記ランスを金型成形する際に前記ハウジングに形成され、前記ハウジングの前面に開放されるとともに前記端子収容室に連通した形態であって、導通検査用のプローブを進入させる型抜き空間と、
前記フロントリテーナに形成され、前記型抜き空間と前後に並ぶように配され、前記フロントリテーナの前方から前記プローブが挿入することを許容し、前記型抜き空間を介して前記端子収容室に連通する検知孔と、
前記端子金具に形成され、前記ランスに係止することで前記端子金具を抜止めする規制突起と、
前記フロントリテーナに形成され、前記プローブの挿入過程では、前記プローブが前記規制突起に当接する前に、前記プローブを前止まりするように傾斜した誘導部とを備えているところに特徴を有する。
【手続補正３】
【補正対象書類名】明細書
【補正対象項目名】０００６
【補正方法】変更
【補正の内容】
【０００６】
第１及び第２の発明に係るコネクタは、フロントリテーナの検知孔と端子収容室とを連通させる手段として、ランスを金型成形するために形成されている既存の型抜き空間を利用しているので、ハウジングには、プローブ専用の連通孔を新たに形成する必要がない。したがって、ハウジングの形状が複雑になるのを回避できる。
特に、第１の発明に係るコネクタは、検知孔と型抜き空間に挿入されたプローブが、ランスにおける端子金具との係止部に到達する前に規制突起に当接することにより、挿入が規制される。したがって、ランスの係止部とプローブとの干渉を回避することができる。また、このコネクタは、規制突起がランスの係止対象となっているので、規制突起とは別にランスの係止対象を形成する場合に比べると、端子金具の形状が簡素化される。
さらに、第２の発明に係るコネクタによれば、プローブの先端部が、規制突起に接触しないので、ランスとの係止手段である規制突起が、プローブによって傷付けられる虞がない。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】
【国際調査報告】
2013061643.tif 000020
2013061643.tif 000021
2013061643.tif 000022
2013061643.tif 000023
2013061643.tif 000024
2013061643.tif 000025
2013061643.tif 000026
2013061643.tif 000027